(57)【特許請求の範囲】
【請求項１】
ネジを連続的に移送する移送手段と、移送中の前記ネジを計数する計数手段と、前記ネジを一時的に貯留する貯留手段と、前記貯留手段に貯留されたネジを袋詰めする包装手段とを具備し、
前記貯留手段は、底部が開口したホッパと、前記ホッパの底部を開閉するシャッタと、前記シャッタの直下に設けられたガイドシュートとを備え、
前記ホッパ内に所定本数の前記ネジが貯留されると、前記シャッタが開放されて、前記ネジが前記ホッパの底部から前記ガイドシュートを経由して落下し、前記ガイドシュートの下部に保持された小袋内に投入されて、該小袋の上部開口が封止されるように構成されたネジの袋詰め装置において、
前記シャッタは下向きに開閉する一対の嘴状部材を具備し、それら嘴状部材は、互いの閉じ合わせ面が鉛直面をなし、前記閉じ合わせ面の側方から見ると下向きに先細りとなり、前記閉じ合わせ面に直交する方向から見ると下縁が水平な逆台形状をなすように形成されるとともに、
前記貯留手段には、前記ネジが前記ホッパ内に貯留されている間に前記ホッパを横方向に振動させる加振手段が設けられたことを特徴とするネジの袋詰め装置。
【請求項２】
請求項１に記載のネジの袋詰め装置において、
前記加振手段は、前記一対の嘴状部材の閉じ合わせ面に直交する方向に前記ホッパを振動させるように配置されていることを特徴とするネジの袋詰め装置。
【請求項３】
請求項１または２に記載のネジの袋詰め装置において、
前記加振手段は、前記ホッパの上部を、水平方向に設けられた支軸の周りに回動自在に保持するホッパ軸支部と、前記ホッパの中間部ないし下部に一端が連結されて前記ホッパの側方に延設された加振アームと、前記加振アームの他端に連結された偏心カムと、前記偏心カムを回転させるモータとを具備することを特徴とするネジの袋詰め装置。
【発明の詳細な説明】
【技術分野】
【０００１】
本発明は、ネジ、あるいはこれに類するビス、ボルトその他の細長い機械部品を所定の本数ずつ包装するために利用される袋詰め装置に関する。
【背景技術】
【０００２】
多数の製品を、所定数量ずつ小袋等に包装するための袋詰め装置が、様々な製造・加工分野で利用されている。近年では、各種のネジやボルト・ナット、釘等といった細かい機械部品についても、需要の多様化・細分化に応えるため、しばしば数個ないし数十個といった小ロットでの供給が求められる。その種の機械部品等を小分け包装するための装置として、例えば特許文献１に記載されたネジの計数包装機が公知である。また、機械部品用ではないが、類似の構成を有する装置として、特許文献２に記載された釣り針用の計数装置も公知である。
【０００３】
この種の袋詰め装置は基本的に、製品を１個ないしは１単位ずつ連続的に移送する移送手段と、移送中の製品を計数（または計量）する計数（計量）手段と、移送されてきた製品を所定の数量になるまで一時的に貯留する貯留手段と、貯留された製品を所定の数量毎にまとめて袋詰めする包装手段とを組み合わせて構成されるのが一般的である。
【０００４】
本出願人も従来、図６及び７に示すようなネジの袋詰め装置を利用して、ネジの小袋包装を行っている。例示の袋詰め装置９は、振動式のボウルフィーダ２１とリニアフィーダ２２とを組み合わせて構成される移送手段２、円盤状のカウントテーブル３１及びその近傍に設置されたカウントセンサ（図示せず）等からなる計数手段３、スロープシュート４１、ホッパ４２、シャッタ４３等を組み合わせて構成される貯留手段４、袋供給装置５１及び袋シール装置５２等からなる包装手段５、それら全体の動作を制御する制御装置（図示せず）、等を具備している。
【０００５】
ネジは、ボウルフィーダ２１からリニアフィーダ２２へと連続的に移送され、リニアフィーダ２２のレールにネジの頭部を引っ掛けた状態で一列になって前進する。リニアフィーダ２２の終端に達したネジは、一方向に回転するカウントテーブル３１に当接し、カウントテーブル３１の外周縁部に形成された切欠部（図示せず）内に１本ずつ捕捉されて、スロープシュート４１内に投入される。投入されたネジはホッパ４２内を落下して、ホッパ４２の下部に取り付けられた嘴状のシャッタ４３内に貯留される。
【０００６】
カウントテーブル３１によって捕捉されたネジの本数は、カウントセンサによって１本ずつ計数されており、累積本数が予め設定された袋詰めの入数に達したら、カウントテーブル３１の回転が一時的に停止するとともに、ホッパ４２が下降して、嘴状のシャッタ４３が開く。シャッタ４３の下方には、袋供給装置５１から供給された小袋Ｐが１枚ずつ、上部を開口した状態で保持されている。そして、シャッタ４３の下縁から落下したネジが、小袋Ｐの中に投入される。
【０００７】
ネジが投入されると、小袋Ｐの上部開口が袋シール装置５２によって封止され、小袋Ｐは以降の検品工程等へと送り出される。シャッタ４３はネジの投下後、直ちに閉じ、ホッパ４２が上昇位置に戻り、カウントセンサの計数値もリセットされて、カウントテーブル３１が回転を再開する。
【先行技術文献】
【特許文献】
【０００８】
【特許文献１】特開平５−３０７６５９号公報
【特許文献２】特開平９−２６９９９２号公報
【発明の概要】
【発明が解決しようとする課題】
【０００９】
前記従来のようなネジの袋詰め装置９においては、とくに脚の長いネジを袋詰めするに際して、図８に示すようなトラブルが生じることがある。すなわち、シャッタ４３を開いて小袋Ｐ内にネジを投入するとき、先に落下したネジＳの頭部に他のネジＳの脚先が重なって、当該他のネジＳの頭部が小袋Ｐの口よりも上方にはみ出してしまい、小袋Ｐの口を適正にシールできなくなる、という事態である。これは、ネジＳがホッパ４２内あるいはシャッタ４３の底部に貯留される際に不規則な姿勢で貯留され、そのままの状態で落下することによって生じるものと考えられる。
【００１０】
そこで、本発明は、特に脚の長いネジを袋詰めするに際し、ネジが小袋の口からはみ出さないように、ネジの姿勢を綺麗に揃えて小袋内に投入することができる袋詰め装置を提案するものである。
【課題を解決するための手段】
【００１１】
前述の目的を達成するため、本発明のネジの袋詰め装置は、ネジを連続的に移送する移送手段と、移送中の前記ネジを計数する計数手段と、前記ネジを一時的に貯留する貯留手段と、前記貯留手段に貯留されたネジを袋詰めする包装手段とを具備し、前記貯留手段は、底部が開口したホッパと、前記ホッパの底部を開閉するシャッタと、前記シャッタの直下に設けられたガイドシュートとを備え、前記ホッパ内に所定本数の前記ネジが貯留されると、前記シャッタが開放されて、前記ネジが前記ホッパの底部から前記ガイドシュートを経由して落下し、前記ガイドシュートの下部に保持された小袋内に投入されて、該小袋の上部開口が封止されるように構成されたネジの袋詰め装置において、前記貯留手段には、前記ネジが前記ホッパ内に貯留されている間に前記ホッパを横方向に振動させる加振手段が設けられたものとして特徴づけられる。
【００１２】
この構成により、ネジがホッパ内に貯留される間に、振動によってネジの姿勢を揃え、ネジをまとまりの良い姿勢で小袋内に投入することができる。その結果、ネジが上下に重なって小袋の口からはみ出す、というトラブルを解消することができる。
【００１３】
さらに、本発明のネジの袋詰め装置は、前記シャッタが下向きに開閉する一対の嘴状部材を具備し、それら嘴状部材は、互いの閉じ合わせ面が鉛直面をなし、前記閉じ合わせ面の側方から見ると下向きに先細りとなり、前記閉じ合わせ面に直交する方向から見ると下縁が水平な逆台形状をなすように形成されていることを特徴とする。
【００１４】
嘴状部材をこのように形成したのは、貯留中のネジの姿勢を、より整然と揃えやすくするための配慮である。閉じ合わせ面の側方から見ると下向きに先細りとなり、閉じ合わせ面に直交する方向から見ると下縁が水平な逆台形状をなすように形成された空間において、ネジは、その先端を水平に揃えた状態で互いに寄せ合うようにまとめられることとなる。
【００１５】
また、前記の構成に係るネジの袋詰め装置において、前記加振手段は、前記一対の嘴状部材の閉じ合わせ面に直交する方向に前記ホッパを振動させるように配置されているのが好ましい。嘴状部材の閉じ合わせ面に平行する方向よりも直交する方向に振動を付与するほうが、ネジの姿勢のまとまりが良くなるとの知見に基づく配慮である。
【００１６】
また、前記加振手段は、前記ホッパの上部を、水平方向に設けられた支軸の周りに回動自在に保持するホッパ軸支部と、前記ホッパの中間部ないし下部に一端が連結されて前記ホッパの側方に延設された加振アームと、前記加振アームの他端に連結された偏心カムと、前記偏心カムを回転させるモータとを具備するものとして構成することができる。かかる構成により、合理的かつ簡素な機構で、ホッパに好適な振動を付与することができる。
【発明の効果】
【００１７】
本発明のネジの袋詰め装置は、ネジを一時的に貯留するホッパが、加振手段によって横方向に振動するように構成されているので、ネジがホッパ内に貯留される間に、振動によってネジの姿勢が揃えられる。そして、シャッタが開いてホッパの底部からネジが落下する際に、全てのネジが頭部及び脚先を綺麗に揃えた状態で落下することとなる。その結果、ネジが小袋内に投入される段階で上下に重なり、小袋の口からはみ出す、というトラブルが解消され、例えば長さ６５ｍｍ〜７５ｍｍといった長いネジを細いチューブ状の小袋に投入することが可能になった。こうして、特に脚の長いネジの袋詰め作業における効率を大幅に改善することができる。
【図面の簡単な説明】
【００１８】
【図１】本発明の実施の形態に係るネジの袋詰め装置の全体的構成を示す正面図である。
【図２】同じく、本発明の実施の形態に係るネジの袋詰め装置の全体的構成を示す上面図である。
【図３】図１及び２に示したネジの袋詰め装置における計数手段及び貯留手段の構成を拡大して示す上面図である。
【図４】図１及び２に示したネジの袋詰め装置における貯留手段の構成を拡大して示す側面図である。
【図５】同じく、図１及び２に示したネジの袋詰め装置における貯留手段及び加振手段の構成を拡大して示す側面図である。
【図６】従来のネジの袋詰め装置の全体的構成を示す正面図である。
【図７】同じく、従来のネジの袋詰め装置の全体的構成を示す側面図である。
【図８】従来のネジの袋詰め装置において生じる袋詰めトラブルの事例を説明する図である。
【発明を実施するための形態】
【００１９】
以下、本発明の実施の形態について図を参照して説明する。
【００２０】
（ネジの袋詰め装置の全体的構成）
本発明の実施の形態にかかるネジの袋詰め装置の全体的構成を、図１及び２に示す。例示の袋詰め装置１は、図６及び７に示した従来の袋詰め装置９と概ね同様に、ネジを連続的に移送する移送手段２０と、移送中のネジを計数する計数手段３０と、移送されてきたネジを所定の数量になるまで一時的に貯留する貯留手段４０と、貯留手段４０に貯留されたネジを所定本数ごとにまとめて袋詰めする包装手段５０とを組み合わせて構成される。なお、従来の袋詰め装置９と実質的に差異のない構成要素については、共通の符号を付す。
【００２１】
（移送手段）
移送手段２０は、振動式のボウルフィーダ２１とリニアフィーダ２２とを具備する。ボウルフィーダ２１及びリニアフィーダ２２は、各々に振動を付与する駆動装置２３、２４、及びそれらの駆動を制御する制御装置（図示せず）とともに、頑丈な架台１１上に据え付けられている。
【００２２】
ボウルフィーダ２１内に投入されたネジは、ボウルフィーダ２１の周壁部に沿って移動しながらリニアフィーダ２２へと連続的に移送される。リニアフィーダ２２は、移送方向に向かって下り勾配となるように設置された、互いに平行な一対のレール２３を具備し、該レール２３、２３の上縁にネジの頭部を引っ掛け、レール２３、２３間に該ネジの脚部をぶら下げた状態で、ネジを整列させながら順次、前進させる。特に例示の形態では、脚部の長いネジでも横揺れの少ない姿勢で移送し得るように、高さ（縦幅）のある板状部材をレール２３に用いている。
【００２３】
（計数手段）
リニアフィーダ２２の終端は、計数手段３０を構成するカウントテーブル３１の周縁部に臨んでいる。カウントテーブル３１は、直立する支軸３２に取り付けられた円盤状の装置で、その上面をリニアフィーダ２２のレール２３の終端上面にほぼ揃えて設置され、支軸３２の下部に設置されたモータ（図示せず）の駆動力によって水平面内で一方向に回転する。
【００２４】
図３に拡大して示すように、カウントテーブル３１の周縁には、ネジの軸径に対応する上面視略Ｕ字状の切欠部３３が、その開口をカウントテーブル３１の回転方向（周縁部の接線方向）における前方やや外側に向けて、複数箇所（例示形態では等間隔で４箇所）に形成されている。リニアフィーダ２２の終端に達したネジＳは、その首部（頭部の直下部分）をこの切欠部３３に１本ずつ引っ掛けられるようにして、リニアフィーダ２２の終端から取り出される。切欠部３３にネジＳが引っ掛かりやすくなるように、リニアフィーダ２２の終端近傍にはエアノズル３４が取り付けられて、エアノズル３４から吐出される圧縮空気が、リニアフィーダ２２の終端のネジＳを、カウントテーブル３１の回転方向前方に向けて押し出すように付勢している。切欠部３３に引っ掛けられたネジＳは、カウントテーブル３１の回転に伴う遠心力によって、その回転方向に投出され、その前方に設置された貯留手段４０へと移送される。
【００２５】
カウントテーブル３１の近傍には光学式のカウントセンサ３５が取り付けられている。カウントセンサ３５は、切欠部３３に引っ掛けられて貯留手段４０へと移送されるネジＳに対し、光源（図示せず）から計測用の光を照射し、その反射光をカメラ（図示せず）で受光し、そのカメラから出力される映像信号を演算処理しながら、移送されるネジＳの本数を常時、計測している。検出結果は演算処理装置（図示せず）において適宜、処理され、その処理結果に基づいて、後述するシャッタ４３の開閉が制御される。
【００２６】
（貯留手段）
貯留手段４０は、スロープシュート４１０、ホッパ４２０、シャッタ４３０、ガイドシュート４４０等を組み合わせて構成される。スロープシュート４１０は、底面が移送方向に向けて下降傾斜した略等幅の溝状部材で、その始端側は、カウントテーブル３１の周縁部の一部を包み込むようにして、リニアフィーダ２２の終端側に向け開口している。スロープシュート４１０の終端側はホッパ４２０の側部に結合され、ホッパ４２０内に突出して開口している。回転するカウントテーブル３１の周縁部からスロープシュート４１０内に投出されたネジＳは、下降傾斜した底面に沿ってホッパ４２０内へと滑落する。
【００２７】
ホッパ４２０は、軸を縦向きにして設置された筒状の部材で、軸方向に直交する断面が略矩形ないし長円形をなすように形成されている。ホッパ４２０の天部及び底部はそれぞれ開口しており、底部近傍はやや長軸方向に縮幅している。その縮幅部分の外側には、ホッパ４２０の底部開口を開閉するためのシャッタ４３０が取り付けられる。
【００２８】
シャッタ４３０は、図４及び５に示すように、開閉自在に取り付けられた一対の嘴状部材４３１、４３１を具備する。各嘴状部材４３１、４３１は、互いの閉じ合わせ面が鉛直面をなし、閉じ合わせ面の側方（閉じ合わせ面の延長方向：図４）から見ると下向きに先細りとなり、閉じ合わせ面の正面側（閉じ合わせ面に直交する方向：図１）から見ると下縁が略水平な、角丸の逆台形状になるように形成されている。各嘴状部材４３１の基端（上端）側の両端部は、ホッパ４２０の対向する側面にそれぞれ設けられたヒンジ４３２に軸着される。各嘴状部材４３１の基端側の中央部には、エアシリンダ等からなるアクチュエータ４３３から延設されたアーム４３４が、連結突片４３５を介して軸着されている。アクチュエータ４３３の上部は、ホッパ４２０の対向する側面にそれぞれ設けられた固定突片４３６に軸着されている。そして、各アーム４３４が同時に短縮することにより、各嘴状部材４３１の基端側中央部が上方に引き上げられ、各嘴状部材４３１が各ヒンジ４３２を支点として、下縁を同時に開くように回動する。
【００２９】
シャッタ４３０の開閉動作は、上記した計数手段３０と同期するように制御される。すなわち、回転するカウントテーブル３１によって移送されるネジＳの本数が、カウントセンサ３５に接続された演算処理装置（図示せず）によって累積される。演算処理装置には、カウントテーブル３１やシャッタ４３０、後述する包装手段５０の動作を制御する制御装置（図示せず）等が接続されていて、ネジＳの累積本数が、予め設定された袋詰めの入数に達するまでは、カウントテーブル３１の回転が継続する。その間、シャッタ４３０は閉じたままになっており、回転するカウントテーブル３１からスロープシュート４１０を経由してホッパ４２０内へと投入されるネジＳは、シャッタ４３０の内側に貯留される。そして、ネジＳの累積本数が袋詰めの入数に達すると、適宜のブレーキが作動するなどして、カウントテーブル３１の回転が一時的に停止する。これに同期してシャッタ４３０が開き、貯留されていたネジＳがまとめて落下する。ネジＳが落下したら直ちに（概ね１秒程度で）シャッタ４３０が閉じる。この開閉動作に伴ってネジＳの累積本数がゼロリセットされ、カウントテーブル３１が回転を再開する。こうして、一定時間ごとにシャッタ４３０が開閉し、所定本数ずつのネジＳが落下する。
【００３０】
シャッタ４３０の下方には、ガイドシュート４４０が設置されている。ガイドシュート４４０は、上端に漏斗状の受け部４４１を有する筒状体で、その軸を縦向きにして、シャッタ４３０の直下に設置される。受け部４４１は、ちょうどシャッタ４３０の略下半部を包囲する高さに配置される。受け部４４１の下方に連続する筒部４４２の内径は、シャッタ４３０の嘴状部材４３１、４３１の、互いの閉じ合わせ面における下縁幅（逆台形状の下底寸法）と同程度の寸法に設定されている。筒部４４２は真っ直ぐに垂下して、その下端開口に包装手段５０が接続される。
【００３１】
（包装手段）
包装手段５０は、ガイドシュート４４０の下端から落下するネジＳを小袋に充填して封止する装置である。例示形態においては、従来公知の、いわゆる縦型ピロー包装装置を採用している。
【００３２】
図１に示すように、長尺シート状に成形された製袋用フィルム５３が、ロール状に巻き回されて、架台１１の下方付近に設置される。ロールから一定の速度で繰り出される製袋用フィルム５３は、ガイドシュート４４０の近傍に設けられた部分円錐面状のフォーマ５４を介して、ガイドシュート４４０の側面を筒状に包囲するように賦形されながら、プルダウン用ローラ（又はベルト）５５によって下向きに引っ張られる。このとき、製袋用フィルム５３の両側縁部がガイドシュート４４０の側面に沿って重ねられ、その重合箇所が、ガイドシュート４４０の側方に設けられた縦シール装置５６によって熱封止される。
【００３３】
こうして筒状に成形された製袋用フィルム５３は、さらにガイドシュート４４０の下端開口よりも下方まで引き出され、横シール装置５７により、横方向に熱封止される。これにより、先行する小袋部分と後続の小袋部分とが順次、一定間隔で区切られることとなる。そして、後続の小袋部分における未封止状態の上部がガイドシュート４４０の下端開口を包囲しているところに、タイミングを合わせてシャッタ４３０が開き、ネジＳがガイドシュート４４０を経由して落下する。ネジＳが投入された小袋部分は、さらに下方に引き出されて、その上部が横シール装置５７によって熱封止される。同時に、その封止箇所がカッター（図示せず）によって裁断され、１個ずつの小袋Ｐに分離される。ネジＳが袋詰めされた小袋Ｐは、検品工程にて重量や包装状態等が適宜、チェックされ、良品と不良品とに振り分けられて、搬送コンベア５８により後工程へと搬送される。
【００３４】
こうして、基本的には従来と同様の工程により、ネジＳが袋詰めされるわけであるが、本発明の要部は、貯留手段４０から包装手段５０へと送られるネジＳの姿勢を揃えるために、貯留手段４０に加振手段６０が付加された点にある。以下、加振手段６０の構成について詳述する。
【００３５】
（加振手段）
例示形態に係る加振手段６０は、ホッパ４２０の上部を回動自在に保持するホッパ軸支部６１と、ホッパ４２０の中間部ないし下部に連結されてホッパ４２０の側方に延設された加振アーム６２と、加振アーム６２の他端に連結された偏心カム６３と、偏心カム６３を回転させるモータ６４と、それらを架台１１上に保持する枠部６５と、を具備する。
【００３６】
ホッパ軸支部６１は、ホッパ４２０の上部側面から水平に突設された支軸６１１を、枠部６５側に固定した軸受６１２に取り付けて構成されている。支軸６１１は、シャッタ４３０を構成する嘴状部材４３１、４３１の閉じ合わせ面と平行になる向きに突設されている。
【００３７】
加振アーム６２は、桿状のロッド６２１の一端にエンド軸受６２２を連結して構成される。ホッパ４２０の中間部ないし下部には、その側面から支軸６１１と平行に連結軸６２３が突設され、この連結軸６２３がエンド軸受６２２に軸支される。ロッド６２１は、略水平になる姿勢で、ホッパ４２０の側方に延設されている。ロッド６２１の他端には、軸受６３１を介して偏心カム６３が取り付けられ、この偏心カム６３が、枠部６５に固定されたモータ６４の駆動力によって一定方向に等速回転する。偏心カム６３及びモータ６４の回転軸も、支軸６１１及び連結軸６２３と平行になるように配置されている。モータ６４の回転は、カウントテーブル３１、シャッタ４３０、包装手段５０等の動作を制御する前述の制御装置によって制御される。
【００３８】
図５に示すように、モータ６４の回転によって加振アーム６２が横方向に揺動することにより、エンド軸受６２２に連結軸６２３を介して連結されたホッパ４２０に横向きの微細な振動が付与される。ホッパ４２０の振動角度は支軸６１１を中心として２〜３°、１秒間の振動回数は２０回ないし４００回程度に設定される。この振動によって、ホッパ４２０内に貯留されるネジＳが上下に重なり合わないように揃えられる。この振動は、ホッパ４２０内に貯留されるネジＳの本数が袋詰めの入数に達し、さらに嘴状部材４３１、４３１が開いてネジＳが全て落下するまでの間、略一定の周期及び振幅で連続的に、または短い時間間隔で間欠的に与えられる。ただし、開いた嘴状部材４３１、４３１が再び閉じて、次の貯留サイクルに切り替わるまでの間、ホッパ４２０の振動が一時的に停止するように制御されてもよい。
【００３９】
このように、貯留中のネジＳに振動を与えてホッパ４２０内での姿勢を揃えることにより、シャッタ４３０が開いてネジＳがガイドシュート４４０内を落下する際に、ネジＳの姿勢がバラバラに乱れることを防ぐことができる。その結果、ネジＳが小袋Ｐ内に綺麗に揃って投入され、ネジＳが小袋Ｐの口よりも上方にはみ出してしまうトラブルが解消される。
【００４０】
なお、前述した実施の形態は一例であって、本発明は、貯留手段４０に加振手段６０を設ける、という要旨を逸脱しない範囲で、適宜改変して実施することが可能である。移送手段２０及び計数手段３０の構成については、特に例示の形態に限定されるものではなく、従来公知の従来公知の装置類を、必要に応じ適宜組み合わせるなどして構成することができる。包装手段５０についても、小袋Ｐを上部が開口した状態に保持してネジＳを受け入れ、ネジＳが投入された後に、上部開口を封止することができるものであればよく、前述のようなピロー包装装置に限定されるものではない。
【産業上の利用可能性】
【００４１】
本発明における「ネジ」とは、上述のように小ロットで袋詰めされるネジ一般（ボルト、ビス、スクリュー等）の他、同様の装置によって袋詰め可能な部材、すなわち全体として細長い形状を有する釘、各種ピン、リベット、パイプその他の小物部品を含むものとする。そして、本発明のネジの袋詰め装置は、その種の細長い部品類を、所定数量ずつ袋詰めする工程に幅広く利用することができる。
【符号の説明】
【００４２】
Ｐ  小袋
Ｓ  ネジ
１  袋詰め装置
２０  移送手段
２１  ボウルフィーダ
２２  リニアフィーダ
３０  計数手段
３１  カウントテーブル
３３  切欠部
３５  カウントセンサ
４０  貯留手段
４１０  スロープシュート
４２０  ホッパ
４３０  シャッタ
４３１  嘴状部材
４４０  ガイドシュート
５０  包装手段
６０  加振手段
６１１  支軸
６１  ホッパ軸支部
６２  加振アーム
６３  偏心カム
６４  モータ
６５  枠部
【図１】
0005499135.tif 000002
【図２】
0005499135.tif 000003
【図３】
0005499135.tif 000004
【図４】
0005499135.tif 000005
【図５】
0005499135.tif 000006
【図６】
0005499135.tif 000007
【図７】
0005499135.tif 000008
【図８】
0005499135.tif 000009